(57)【要約】【課題】ケーブルに貼り付けて用いられるラベルに印刷対象を配置する際のユーザの利便性を向上させた編集装置、編集プログラム、及び印刷装置を提供すること【解決手段】編集装置は、表示部及び表示部を制御する制御部を備える。制御部は、印刷媒体の大きさを取得し（Ｓ２）、印刷媒体に印刷する予定の印刷対象の印刷媒体に対する配置を取得する（Ｓ６）。制御部は、印刷媒体を貼り付ける貼付対象の外周の長さを取得し（Ｓ３）、印刷媒体の特定方向の一端から他端の順に、印刷媒体を、貼付対象の外周に沿って貼り付けた場合における、印刷媒体の他端側の印刷媒体に覆われる重なり部分と、印刷媒体の内の重なり部分を除く非重なり部分とで印刷対象を区別可能に、印刷媒体に対する印刷対象の配置を表示部に表示させる（Ｓ１０、Ｓ１１、Ｓ１５、Ｓ１６）【選択図】図５
2019130891.tif 000002
【特許請求の範囲】
【請求項１】
表示部と、
前記表示部を制御する制御部とを備え、
前記制御部は、
印刷媒体の大きさを取得する大きさ取得手段と、
前記印刷媒体に印刷する予定の印刷対象の前記印刷媒体に対する配置を取得する印刷対象取得手段と、
前記印刷媒体を貼り付ける貼付対象の外周の長さを取得する外周取得手段と、
前記印刷媒体の特定方向の一端から他端の順に、前記印刷媒体を、前記貼付対象の前記外周に沿って貼り付けた場合における、前記印刷媒体の前記他端側の前記印刷媒体に覆われる重なり部分と、前記印刷媒体の内の前記重なり部分を除く非重なり部分とで前記印刷対象を区別可能に、前記印刷媒体に対する前記印刷対象の前記配置を前記表示部に表示させる表示制御手段
として機能することを特徴とする編集装置。
【請求項２】
前記表示制御手段は、
前記重なり部分と、前記非重なり部分とで、前記印刷対象の表示態様及び前記印刷対象の背景の表示態様の少なくとも何れかを異ならせることで、両者を区別可能に前記印刷媒体に対する前記印刷対象の前記配置を前記表示部に表示させることを特徴とする請求項１に記載の編集装置。
【請求項３】
前記表示制御手段は、
前記非重なり部分の内の、前記重なり部分を覆う第一部分と、前記第一部分以外の第二部分とを区別して前記表示部に表示させることを特徴とする請求項１又は２に記載の編集装置。
【請求項４】
前記表示制御手段は、
前記第一部分と、前記第二部分とで、前記印刷対象の表示態様及び前記印刷対象の背景の表示態様の少なくとも何れかを異ならせることで、前記第一部分と、前記第二部分とを区別して前記表示部に表示させることを特徴とする請求項３に記載の編集装置。
【請求項５】
前記制御部は、
前記印刷媒体の種類を特定する特定手段として更に機能し、
前記表示制御手段は、
前記特定手段が特定した前記印刷媒体の種類に応じて、前記重なり部分と前記非重なり部分との区別態様を変更して、前記表示部に表示させることを特徴とする請求項１から４の何れかに記載の編集装置。
【請求項６】
前記表示制御手段は、
前記特定手段が特定した前記印刷媒体が透過性を有しない場合、前記重なり部分の前記印刷対象に変えて、前記印刷媒体の内の前記一端側の前記印刷媒体を覆う部分の前記印刷対象を表示することで、前記重なり部分と前記非重なり部分とを区別して前記表示部に表示させることを特徴とする請求項５に記載の編集装置。
【請求項７】
前記表示制御手段は、
前記特定手段が特定した前記印刷媒体が透過性を有する場合、前記重なり部分の前記印刷対象に、前記印刷媒体の内の前記一端側の前記印刷媒体を覆う部分の前記印刷対象を重ねて表示することで、前記重なり部分と前記非重なり部分とを区別して前記表示部に表示させることを特徴とする請求項５又は６に記載の編集装置。
【請求項８】
前記表示制御手段は、
前記特定手段が特定した前記印刷媒体が透過性を有する透過部分と、透過性を有しない非透過部分とを含む場合、前記非透過部分から前記透過部分に向かう方向を前記印刷媒体の前記一端から前記他端に向かう側にし、前記印刷媒体の前記一端から前記他端の順に、前記印刷媒体を、前記貼付対象の前記外周に沿って貼り付けた場合における、前記非透過部分における前記透過部分に覆われる被覆部分と、前記透過部分に覆われない非被覆部分とを区別可能に、前記印刷媒体に対する前記印刷対象の前記配置を前記表示部に表示させることを特徴とする請求項５から７の何れかに記載の編集装置。
【請求項９】
前記表示制御手段は、
前記非透過部分において、前記重なり部分と、前記非重なり部分とを特定し、前記重なり部分の前記印刷対象に変えて、前記印刷媒体の内の前記一端側の前記印刷媒体を覆う部分の前記印刷対象を表示することで、前記重なり部分と前記非重なり部分とを区別して前記表示部に表示させることを特徴とする請求項８に記載の編集装置。
【請求項１０】
前記制御部は、
前記印刷対象の大きさを、前記印刷対象が前記非重なり部分に収まる大きさに調整する調整手段として更に機能することを特徴とする請求項１から９の何れかに記載の編集装置。
【請求項１１】
前記制御部は、
前記非重なり部分の内に、前記印刷対象を配置する配置領域を設定する設定手段として更に機能し、
前記調整手段は、前記印刷対象が前記配置領域内に収まる大きさに調整することを特徴とする請求項１０に記載の編集装置。
【請求項１２】
請求項１から１１の何れかに記載の編集装置の制御部を、前記編集装置の各種処理手段として機能させるための指示を含む編集プログラム。
【請求項１３】
表示部と、
印刷媒体を搬送経路に沿って搬送する搬送部と、
前記搬送部によって搬送された前記印刷媒体に印刷を行う印刷部と、
前記表示部、前記搬送部、前記印刷部を制御する制御部とを備え、
前記制御部は、
前記印刷媒体の大きさを取得する大きさ取得手段と、
前記印刷媒体に印刷する予定の印刷対象の前記印刷媒体に対する配置を取得する印刷対象取得手段と、
前記印刷媒体を貼り付ける貼付対象の外周の長さを取得する外周取得手段と、
前記印刷媒体の特定方向の一端から他端の順に、前記印刷媒体を、前記貼付対象の前記外周に沿って貼り付けた場合における、前記印刷媒体の前記他端側の前記印刷媒体に覆われる重なり部分と、前記印刷媒体の内の前記重なり部分を除く非重なり部分とで前記印刷対象を区別可能に、前記印刷媒体に対する前記印刷対象の前記配置を前記表示部に表示させる表示制御手段と、
前記印刷対象の内、前記重なり部分を除く前記非重なり部分の前記印刷対象を前記印刷媒体に印刷するための印刷データを生成する生成手段と、
前記生成手段によって生成された前記印刷データに従って、前記印刷部を制御し、前記印刷媒体に印刷を行う印刷制御手段
として機能することを特徴とする印刷装置。
【発明の詳細な説明】
【技術分野】
【０００１】
本発明は、編集装置、編集プログラム、及び印刷装置に関する。
【背景技術】
【０００２】
ケーブルに貼り付けて用いられるラベルを作成する装置が知られている（例えば特許文献１）。特許文献１に記載の装置は、複数の選択候補の中から、編集条件に応じた候補を優先して表示する。
【先行技術文献】
【特許文献】
【０００３】
【特許文献１】特開２００９−２１７６６２号公報
【発明の概要】
【発明が解決しようとする課題】
【０００４】
従来の装置で編集されたラベルを、ユーザがケーブルに巻き付けて貼り付けた場合に、印刷対象の一部が見えなくなる場合がある。この場合、ユーザは、ラベルをケーブルに巻き付けた状態で印刷対象全体が見えるように、印刷対象の配置等をやりなおす場合があり煩雑である。
【０００５】
本発明の目的は、ケーブルに貼り付けて用いられるラベルに印刷対象を配置する際のユーザの利便性を向上させた編集装置、編集プログラム、及び印刷装置を提供することである。
【課題を解決するための手段】
【０００６】
本発明の第一態様に係る編集装置は、表示部と、前記表示部を制御する制御部とを備え、前記制御部は、印刷媒体の大きさを取得する大きさ取得手段と、前記印刷媒体に印刷する予定の印刷対象の前記印刷媒体に対する配置を取得する印刷対象取得手段と、前記印刷媒体を貼り付ける貼付対象の外周の長さを取得する外周取得手段と、前記印刷媒体の特定方向の一端から他端の順に、前記印刷媒体を、前記貼付対象の前記外周に沿って貼り付けた場合における、前記印刷媒体の前記他端側の前記印刷媒体に覆われる重なり部分と、前記印刷媒体の内の前記重なり部分を除く非重なり部分とで前記印刷対象を区別可能に、前記印刷媒体に対する前記印刷対象の前記配置を前記表示部に表示させる表示制御手段として機能する。
【０００７】
本発明の第二態様に係る編集プログラムは、第一態様の編集装置の制御部を、前記編集装置の各種処理手段として機能させるための指示を含む。
【０００８】
第三態様の印刷装置は、表示部と、印刷媒体を搬送経路に沿って搬送する搬送部と、前記搬送部によって搬送された前記印刷媒体に印刷を行う印刷部と、前記表示部、前記搬送部、前記印刷部を制御する制御部とを備え、前記制御部は、前記印刷媒体の大きさを取得する大きさ取得手段と、前記印刷媒体に印刷する予定の印刷対象の前記印刷媒体に対する配置を取得する印刷対象取得手段と、前記印刷媒体を貼り付ける貼付対象の外周の長さを取得する外周取得手段と、前記印刷媒体の特定方向の一端から他端の順に、前記印刷媒体を、前記貼付対象の前記外周に沿って貼り付けた場合における、前記印刷媒体の前記他端側の前記印刷媒体に覆われる重なり部分と、前記印刷媒体の内の前記重なり部分を除く非重なり部分とで前記印刷対象を区別可能に、前記印刷媒体に対する前記印刷対象の前記配置を前記表示部に表示させる表示制御手段と、前記印刷対象の内、前記重なり部分を除く前記非重なり部分の前記印刷対象を前記印刷媒体に印刷するための印刷データを生成する生成手段と、前記生成手段によって生成された前記印刷データに従って、前記印刷部を制御し、前記印刷媒体に印刷を行う印刷制御手段として機能する。
【０００９】
第一態様、第二態様及び第三態様によれば、編集装置（印刷装置）は、重なり部分と、非重なり部分とを区別して表示部に表示できる。ユーザは、表示部を参照することで、ラベルをケーブルに巻き付けて貼り付けた場合に、印刷対象の一部が重なり部分に配置されることを、印刷前に確認できる。編集装置（印刷装置）は、印刷後に印刷対象の配置等をやりなおす可能性を低減できるので、ケーブルに貼り付けて用いられるラベルに印刷対象を配置する際のユーザの利便性を向上できる。
【図面の簡単な説明】
【００１０】
【図１】印刷装置１８の電機的構成を示すブロック図である。
【図２】（Ａ）はラベル２０の説明図であり、（Ｂ）はラベル２０の特定方向の一端２１から他端２２の順に、ラベル２０を貼付対象Ｔに貼り付ける方法の説明図であり、（Ｃ）はラベル２０の特定方向の一端２１から他端２２の順に、ラベル２０を貼付対象Ｔに貼り付けた状態の説明図である。
【図３】（Ａ）は印刷媒体４０の説明図であり、（Ｂ）、（Ｃ）は印刷媒体４０の特定方向の一端２１から他端３２の順に、印刷媒体４０を貼付対象Ｔに貼り付ける方法の説明図であり、（Ｄ）は印刷媒体４０の特定方向の一端２１から他端３２の順に、印刷媒体４０を貼付対象Ｔに貼り付けた状態の説明図である。
【図４】設定値記憶エリア５２の説明図である。
【図５】メイン処理のフローチャートである。
【図６】メイン処理のラベル２０に対する印刷対象の配置を設定する手順を説明する、マトリックス状の説明図である。
【図７】メイン処理によって設定されたラベル２０に対する印刷対象の配置の説明図である。
【図８】画面９０の説明図である。
【図９】図５のメイン処理で実行される修正処理のフローチャートである。
【発明を実施するための形態】
【００１１】
以下、本発明を具体化した一実施形態について、図面を参照して順に説明する。長さの単位はｍｍとする。以下の説明では、画像を表示するための画像データを単に画像とも言う。
【００１２】
図１に示すように、印刷装置１８は、テープ状の印刷媒体であって剥離紙付きの無定長の粘着テープであるテープＭに、キャラクタ（文字、記号及び数字等）を印刷可能な小型のラベルプリンタである。印刷装置１８は、印刷画像の編集、及び表示を実行可能である。印刷画像は、印刷媒体に対する印刷対象の配置を示す画像である。印刷画像の編集は、印刷画像の新規作成、表示内容変更、印刷対象のレイアウト変更等を含む概念である。印刷装置１８は、ＣＰＵ１、ＲＯＭ２、ＣＧＲＯＭ３、ＲＡＭ４、及びフラッシュメモリ５を備える。ＲＯＭ２、ＣＧＲＯＭ３、ＲＡＭ４、及びフラッシュメモリ５は、それぞれＣＰＵ１に電気的に接続されている。
【００１３】
ＲＯＭ２には、印刷装置１８の制御上必要な各種のプログラム等が記憶されている。ＣＰＵ１は、これらのプログラムに基づいて各種演算を行う。ＣＧＲＯＭ３には、各種キャラクタを印刷するための印刷用ドットパターンデータが、書式及びサイズ毎に分類され、コードデータに対応させて記憶されている。したがって、印刷装置１８は、キャラクタ、書式及びサイズが定まれば、印刷対象の大きさを特定可能である。ＲＡＭ４には、テキストメモリ、及びプリントバッファ等、複数の記憶エリアが設けられている。テキストメモリには、印刷対象のデータが格納される。プリントバッファには、印刷対象の印刷用ドットパターンが格納される。その他記憶エリアには、各種演算データ等が記憶される。
【００１４】
フラッシュメモリ５は、テープ種類テーブル記憶エリア５１、設定値記憶エリア５２、及びその他の記憶エリア５３を備える。テープ種類テーブル記憶エリア５１は、印刷装置１８に装着された印刷媒体の属性が定義されたテーブルを記憶する。テーブルには、例えば、複数種類のＩＤの各々に対応づけて、テープＭの幅Ｗ、種類等が定義されている。幅Ｗは、印刷媒体であるテープＭの幅（長手方向に直交する方向の長さ）である。種類は、テープＭの素材及び態様を示す。種類には、例えば、ラミネート及びレセプタがある。「ラミネート」は、樹脂製の透明フィルムテープに印刷がなされた後、印刷装置１８内で、印刷面に両面粘着テープ（基材の両面に粘着剤層が形成されている）が貼り合わせられる態様を示す。「ラミネート」には、例えば、「透明ラミネート」がある。透明ラミネートは、全面透明なフィルムテープに全面透明な両面粘着テープ（基材を含む）を貼り合わせたもので、テープ全体としても透明なものである。以下では、「ラミネート」の内、「透明ラミネート」を除いたものを狭義の意味で「ラミネート」と呼ぶ。「レセプタ」は、樹脂製の片面粘着テープ（基材の片面にのみ粘着剤層が形成されている）に印刷が行われる態様を示す。「レセプタ」には、例えば、「セルフラミネート」と、「透明レセプタ」とがある。セルフラミネートは、図３（Ａ）を参照して後述するように、ラベル２０と、ラベル２０に対して幅方向Ｗにおいて連続し可視光を透過させる透過性を有する透明部分であるフィルム３０とからなる（ラベル２０もフィルム３０も基材の片面にのみ粘着剤層が形成されている）。また、「セルフラミネート」には、フィルム３０が透明であるばかりでなく、ラベル２０も透明な、「透明セルフラミネート」がある。以下では、「セルフラミネート」の内、「透明セルフラミネート」を除いたものを狭義の意味で「セルフラミネート」と呼ぶ。透明レセプタは、可視光を透過させる透過性を有する透明フィルムテープからなる。以下ではレセプタの内、セルフラミネート、透明セルフラミネート、及び透明レセプタを除いたレセプタを以下狭義の意味で「レセプタ」と呼ぶ。即ち、本実施形態では、印刷媒体の種類には、狭義の意味で「ラミネート」、「透明ラミネート」、「レセプタ」、「セルフラミネート」、「透明セルフラミネート」、及び「透明レセプタ」がある。設定値記憶エリア５２には、テープＭをケーブル等の対象Ｔ（貼付対象）に巻き付けて、貼り付ける場合の印刷対象の配置に用いる設定値が記憶される。設定値記憶エリア５２については後述する。その他の記憶エリア５３は、各種演算データ等が記憶される。
【００１５】
印刷装置１８は更に、検出部６、操作部７、表示部８、及び駆動回路１２〜１５を備える。検出部６、操作部７、及び駆動回路１２〜１５は各々、ＣＰＵ１に電気的に接続されている。検出部６は、印刷装置１８に装着されたテープＭの種類を検出し、ＣＰＵ１に出力する公知のセンサである。操作部７は、印刷装置１８（ＣＰＵ１）に各種指示を入力するのに用いられる。操作部７は、例えば、タッチパネルである。表示部８は、例えば、液晶ディスプレイ（ＬＣＤ）である。操作部７は、各種指示を入力できればよく、スイッチ、ダイヤル等の他の構成でもよい。駆動回路１２は、表示部８にキャラクタ等を出力するための電子回路である。駆動回路１３は、図示しないテープＭを搬送経路に沿って搬送するテープ送りモータ９を駆動するための電子回路である。駆動回路１４は、サーマルヘッド１０を駆動するための電子回路である。駆動回路１５は、印刷装置１８の外部に排出される印刷済みのテープＭを切断する移動刃（図示略）を動作させるカッターモータ１１を駆動するための電子回路である。
【００１６】
図２を参照し、テープＭの種類が、ラミネート、透明ラミネート、レセプタ、及び透明レセプタの何れかである場合における、カットされたテープＭを貼付対象Ｔに貼り付ける作業について説明する。図２（Ａ）に示すように、テープＭをカットすることによる得られたラベル２０は、辺２１〜２４を有する矩形状である。辺２３、２４はラベル２０の短辺であり、テープＭの幅方向Ｗに延びる。辺２１、２２はラベル２０の長辺であり、テープＭの長さ方向Ｌに延びる。辺２１、２２の長さは、規定値であってもよいし、印刷対象の長さに応じて変更可能な長さであってもよい。印刷領域は、ラベル２０の印刷面に設定される。
【００１７】
図２（Ｂ）に示すように、ラベル２０をケーブル等の貼付対象Ｔに巻き付けて貼り付ける場合、ユーザは、剥離紙を剥がした後、ラベル２０の幅方向Ｗ（特定方向）の一端２１を起点として、巻き付け方向Ｅに巻き付ける。具体的には、ユーザは、辺２１を貼付対象Ｔの軸線ＡＸと平行にした姿勢で、貼付対象Ｔに貼り付け、ラベル２０全体を貼付対象Ｔの側面に貼り付ける。図２（Ｃ）に示すように、辺２３、２４の長さが、貼付対象Ｔの長さよりも長い場合、ラベル２０の辺２２は、貼付対象Ｔではなくラベル２０に貼り付けられる。つまり、辺２１側はラベル２０に覆われる。ラベル２０の幅方向Ｗの起点は、辺２２でもよい。ラベル２０の特定方向は、ラベル２０の長さ方向Ｌでもよい。
【００１８】
図３を参照し、テープＭの種類が、セルフラミネート又は透明セルフラミネートである場合における、印刷媒体４０を貼付対象Ｔに貼り付ける作業について説明する。図３（Ａ）に示すように、テープＭをカットすることによる得られた印刷媒体４０は、ラベル２０と、フィルム３０を有する。ラベル２０は、図２（Ａ）の構成と同様である。フィルム３０は、幅方向Ｗにおいて、ラベル２０と連続とする、可視光を透過させる透過性を有する透明媒体である。フィルム３０は、辺３１〜３４を有する矩形状である。辺３３、３４はフィルム３０の短辺であり、幅方向Ｗに延びる。辺３１、３２はフィルム３０の長辺であり、長さ方向Ｌに延びる。本例のフィルム３０は、ラベル２０と同じ大きさ、形状を有し、ラベル２０の辺２２と、フィルム３０の辺３１とで接続している。ラベル２０と、フィルム３０とは、互いに同じ大きさ、形状でなくてもよい。辺３１、３２の長さは、規定値であってもよいし、印刷対象の長さに応じて変更可能な長さであってもよい。印刷領域は、ラベル２０の印刷面に設定され、フィルム３０には設定されない。
【００１９】
図３（Ｂ）に示すように、印刷媒体４０をケーブル等の貼付対象Ｔに巻き付けて貼り付ける場合、ユーザは、ラベル２０の幅方向Ｗの一端２１を起点として、巻き付け方向Ｅに巻き付ける。具体的には、ユーザは、辺２１を貼付対象Ｔの軸線ＡＸと平行にした姿勢で、貼付対象Ｔに貼り付け、ラベル２０全体を貼付対象Ｔの側面に貼り付ける。図３（Ｃ）に示すように、辺２３、２４の長さが、貼付対象Ｔの長さよりも長い場合、ラベル２０の辺２２は、貼付対象Ｔではなくラベル２０に貼り付けられる。ユーザは更に、ラベル２０の上からフィルム３０を巻き付ける。図３（Ｄ）に示すように、辺３３、３４の長さが、貼付対象Ｔの円周長さよりも長い場合、ラベル２０全体は、フィルム３０によって覆われる。
【００２０】
図４の設定値記憶エリア５２について説明する。図４に示すように、設定値記憶エリア５２は、テープＭの種類、印刷領域長さ、ラミネート領域長さ、貼付対象径、貼付対象円周、及び重なり量を対応付けて記憶する。本例では、説明を簡単にするために、ラベル２０の印刷面全体を印刷領域とする。印刷領域は、ラベル２０の印刷面の輪郭線から所定の余白長さ内側に設定されてもよい。余白長さは、ユーザが指定してもよいし、テープＭの種類等に応じてデフォルト値が設定されてもよい。設定値記憶エリア５２では、印刷領域長さを、テープＭの幅方向Ｗの長さによって示す。印刷媒体の種類が、ラミネート、透明ラミネート、レセプタ、及び透明レセプタの何れかである場合も、印刷媒体の種類がセルフラミネート、及び透明セルフラミネートの何れかである場合も、ラベル２０の幅方向Ｗの長さが印刷領域長さである。ラミネート領域は、テープＭの種類がセルフラミネート又は透明セルフラミネートである場合の、フィルム３０の幅方向Ｗの長さを示す。貼付対象径は、円筒状の貼付対象Ｔの直径を示す。貼付対象円周は、貼付対象径に対応する、貼付対象Ｔの円周を示す。重なり量は、重なり部分の、巻き付け方向Ｅの長さＣ（図２参照）を示す。重なり部分は、印刷媒体の特定方向（幅方向Ｗ）の一端２１から他端２２（３２）の順に、印刷媒体を、貼付対象Ｔの外周に沿って貼り付けた場合における、印刷媒体の内の、他端側の印刷媒体に覆われる部分である。設定値記憶エリア５２が記憶する項目は適宜変更でき、例えば、貼付対象径、貼付対象円周、及び重なり量の一部又は全部は、設定値記憶エリア５２に記憶されなくてもよく、取得された値に基づき計算により算出されてもよい。
【００２１】
図５〜図９を参照して、本形態のメイン処理について、印刷対象が文字「ＡＢ」である場合を例に説明する。メイン処理では、ラベルをケーブル等の貼付対象Ｔに巻き付けて貼り付ける場合の貼り付けた状態を示す印刷画像を表示部８に表示させる処理が実行される。本例のメイン処理は、操作部７を介して、印刷対象と、印刷対象の配置条件と、貼付対象Ｔの直径とが指定された後、印刷画像作成の開始指示が取得された場合に、ＲＯＭ２のプログラム記憶エリアに記憶されたメイン処理を実行するためのプログラムを、ＲＡＭ４に読み出す。ＣＰＵ１は、ＲＡＭ４に読み出したプログラムに含まれる指示に従って、以下のステップを実行する。
【００２２】
開始指示には、印刷対象と、印刷対象の配置条件と、貼付対象Ｔの直径が含まれる。本例の印刷対象の配置条件は、次の第一〜第五条件の何れかから選択される。第一条件は、フラッシュメモリ５に記憶された前回の配置条件と同じ条件である。第二条件は、印刷領域の幅方向Ｗの長さを、印刷対象の幅方向Ｗの長さに設定し、印刷領域内に印刷対象を配置する条件である。第三条件は、非重なり部分の幅方向Ｗの長さを、印刷対象の幅方向Ｗの長さに設定し、非重なり部分内に印刷対象を設定する条件である。非重なり部分は、印刷媒体の内の、重なり部分を除く部分である。第四条件は、非重なり部分内に、印刷対象を配置する配置領域を設定し、配置領域の幅方向Ｗの長さを、印刷対象の幅方向Ｗの長さに設定し、配置領域内に印刷対象を設定する条件である。配置領域は、例えば、貼付対象Ｔの側面の内の１／４の部分である。配置領域は、ユーザによって選択又は指定された領域であってもよいし、貼付対象Ｔ及び印刷対象の少なくとも何れかに応じてＣＰＵ１が設定した領域でもよい。第五条件は、単位図形（例えば、文字のフォント）の大きさが指定された条件である。
【００２３】
メイン処理を実行するのに必要な各種パラメータは、フラッシュメモリ５に記憶されている。メイン処理の過程で得られた各種データは、適宜ＲＡＭ４に記憶される。図６において、マトリックス状に配置された図を、図（行記号−列記号）の如く表記する。行記号は、Ａ〜Ｆのアルファベットであり、列記号は、Ｘ〜Ｚのアルファベットである。例えば、図６（Ａ−Ｙ）は、Ａ行Ｙ列の図（つまり１行目２列目の図）を示す。
【００２４】
図５に示すように、ＣＰＵ１は、取得した開始指示を記憶し、各種設定値を初期化する（Ｓ１）。ＣＰＵ１は、印刷媒体の種類と、印刷媒体の大きさを取得する（Ｓ２）。ＣＰＵ１は、例えば、検出部６が入力する信号に基づき、印刷媒体の種類を取得する。ＣＰＵ１は、ユーザが入力した情報に基づき、印刷媒体の種類を取得してもよい。ＣＰＵ１は、設定値記憶エリア５２を参照し、印刷媒体の種類に対応する印刷媒体の大きさとして、印刷領域長さを取得する。ＣＰＵ１は、貼付対象Ｔの直径、外周長さを取得する（Ｓ３）。ＣＰＵ１は、例えば、開始指示に含まれる貼付対象Ｔの直径を取得する。ＣＰＵ１は、設定値記憶エリア５２を参照し、貼付対象Ｔの直径に対応する外周長さとして、貼付対象円周を取得する。ＣＰＵ１は、開始指示に含まれる貼付対象Ｔの直径に基づき、貼付対象の外周長さを算出してもよい。貼付対象Ｔの外周長さはＲＦＩＤ等の技術を利用して取得された値でもよいし、ユーザにより指定された値でもよい。貼付対象の外周長さは、印刷媒体の厚みが考慮された値でもよい。
【００２５】
ＣＰＵ１は、Ｓ２で取得した印刷媒体の種類と、貼付対象Ｔの直径とから重なり量を特定する（Ｓ４）。具体的には、ＣＰＵ１は、設定値記憶エリア５２を参照し、Ｓ３で取得した貼付対象Ｔの直径に対応する重なり量を特定する。重なり量は、計算により特定されてもよいし、ユーザにより指定された値でもよい。重なり量は、印刷媒体の厚みが考慮された値でもよい。印刷領域長さが２５．４ｍｍである場合において、図６（Ａ−Ｘ）に示すように、貼付対象径が７ｍｍである場合、重なり量８１は３．４ｍｍである。図６（Ａ−Ｙ）に示すように、貼付対象径が６ｍｍである場合、重なり量８２は６．６ｍｍである。図６（Ａ−Ｚ）に示すように、貼付対象径が５ｍｍである場合、重なり量８３は９．７ｍｍである。点線６１〜６３は各々、重なり部分と非重なり部分の境界を示す。
【００２６】
ＣＰＵ１は、開始指示に含まれる印刷対象を特定する（Ｓ５）。ＣＰＵ１は、具体例の印刷対象として、開始指示に基づき、文字「ＡＢ」を特定する。ＣＰＵ１は、Ｓ５で取得された印刷対象の大きさ、配置を特定する（Ｓ６）。Ｓ６の印刷対象の大きさは、幅方向Ｗにおける印刷対象の大きさで表される。本例では、配置条件として前述の第一〜第五条件の何れかが選択され、選択された配置条件は開始指示に含まれる。ＣＰＵ１は、開始指示に含まれる条件に応じて、印刷対象の大きさ及び配置を特定する。
【００２７】
ＣＰＵ１は、非重なり量が、Ｓ６の処理で特定された印刷対象の大きさよりも小さいかを判断する（Ｓ７）。ＣＰＵ１は、非重なり量は、印刷媒体の幅方向Ｗの長さから、Ｓ５で特定された重なり量を差し引いた値である。
【００２８】
重なり量が図６（Ａ−Ｘ）、図６（Ａ−Ｙ）、及び図６（Ａ−Ｚ）の何れかの場合において、配置条件が第二条件である場合、ＣＰＵ１は、非重なり量が印刷対象の大きさよりも小さいと判断する（Ｓ７：ＹＥＳ）。この場合幅方向Ｗにおいて、印刷対象の一部は重なり部分に配置される。このため、ＣＰＵ１は、印刷媒体の特定方向の一端２１から他端２２（３２）の順に、印刷媒体を、貼付対象Ｔの外周に沿って貼り付けた場合における、印刷媒体の内の、他端側の印刷媒体に覆われる重なり部分ＴＢと、印刷媒体の内の重なり部分ＴＢを除く非重なり部分ＴＡとで印刷対象を区別可能に、印刷媒体に対する印刷対象の配置を表示部８に表示させる処理を行う。本例のＣＰＵ１は、重なり部分ＴＢと、非重なり部分ＴＡとで、印刷対象の表示態様及び印刷対象の背景の表示態様の少なくとも何れか異ならせることで、両者を区別可能に印刷媒体に対する印刷対象の配置を表示部８に表示させる。本例のＣＰＵ１は、更に、特定した印刷媒体の種類に応じて、重なり部分ＴＢと非重なり部分ＴＡとの区別態様を変更して、表示部８に表示させる。
【００２９】
具体的には、ＣＰＵ１は、Ｓ２の処理で取得された印刷媒体の種類が、透明基材に分類されるかを判断する（Ｓ９）。透過基材は、基材が全面が可視光を透過する透過性を有する印刷媒体の総称である。本例の６つの印刷媒体の種類の内、透明基材に分類される印刷媒体の種類には、透明ラミネート、透明セルフラミネート、及び透明レセプタがある。一方、透明基材に分類されない印刷媒体の種類には、ラミネート、レセプタ、及びセルフラミネートがある。透明基材に分類されない印刷媒体の種類である場合、即ち、印刷媒体の種類が、透明ラミネート、透明セルフラミネート、及び透明レセプタの何れでもない場合（Ｓ９：ＮＯ）、ＣＰＵ１は、印刷画像として上書き画像を生成する（Ｓ１１）。印刷媒体の種類が、透明ラミネート、透明セルフラミネート、及び透明レセプタの何れでもない場合、ラベルを貼付対象Ｔに貼り付けた場合には、重なり部分ＴＢは、非重なり部分ＴＡに覆われ、外部から見えなくなる。上書き画像は、重なり部分ＴＢの印刷対象を表示しない画像である。本例のＣＰＵ１は、特定された印刷媒体が可視光を透過させる透過性を有しない場合、重なり部分ＴＢの印刷対象に変えて、印刷媒体の内の一端側の印刷媒体を覆う第一部分Ｔ１の印刷対象を表示することで、重なり部分ＴＢと非重なり部分ＴＡとを区別した上書き画像を生成する。配置条件が第二条件である場合、図６（Ｃ−Ｘ）、図６（Ｃ−Ｙ）、図６（Ｃ−Ｚ）に示すように、上書き画像は、例えば、非重なり部分ＴＡは印刷対象の通常の画像とし、重なり部分ＴＢを、印刷媒体の内の一端側の印刷媒体（重なり部分ＴＢ）を覆う画像とした画像である。重なり部分ＴＢには印刷対象の通常の画像は含まれない。上書き画像は、例えば、図６（Ｄ−Ｘ）、図６（Ｄ−Ｙ）に示すように、非重なり部分ＴＡと重なり部分ＴＢとで背景の色を変更してもよい。図６（Ｄ−Ｘ）に示すように、非重なり部分ＴＡの内の、重なり部分ＴＢを覆う第一部分Ｔ１と、第一部分Ｔ１以外の第二部分Ｔ２とを区別してもよい。第一部分Ｔ１と、第二部分Ｔ２とは、印刷対象の色、背景の色等によって、区別されてもよい。点線６４〜６６は各々、第一部分Ｔ１と、第二部分Ｔ２との境界を示す。上書き画像は、例えば、図６（Ｄ−Ｚ）に示すように、重なり部分ＴＢに印刷対象を示さない態様とすることで、重なり部分ＴＢと非重なり部分ＴＡとの区別可能としてもよい。上書き画像は、例えば、後述の通常画像を生成後、重なり部分ＴＢ、第二部分Ｔ２の表示態様を変更することで、生成してもよい。
【００３０】
印刷媒体の種類が、透明基材に分類される場合（Ｓ９：ＹＥＳ）、ＣＰＵ１は、印刷画像として重複画像を生成する（Ｓ１０）。印刷媒体の種類が、透明基材に分類される、透明ラミネート、透明セルフラミネート、及び透明レセプタの何れかである場合、ラベルを貼付対象Ｔに貼り付けた場合には、重なり部分ＴＢの印刷対象は、非重なり部分ＴＡに覆われるが、外部から見ることができる。つまり、重なり部分ＴＢの印刷対象と、重なり部分ＴＢを覆う第一部分Ｔ１の印刷対象とは重なった状態で見える。重複画像は重なり部分ＴＢの印刷対象に、第一部分Ｔ１との双方の印刷対象を重ねた画像である。本例のＣＰＵ１は、重なり部分ＴＢの印刷対象に、印刷媒体の内の一端側の印刷媒体を覆う第一部分Ｔ１の印刷対象を重ねて表示することで、重なり部分ＴＢと非重なり部分ＴＡとを区別した重複画像を生成する。配置条件が第二条件である場合、図６（Ｅ−Ｘ）、図６（Ｅ−Ｙ）、図６（Ｅ−Ｚ）に示すように、重複画像は、例えば、非重なり部分ＴＡは、通常の印刷対象の画像とし、重なり部分ＴＢは、重なり部分ＴＢの印刷対象に第一部分Ｔ１の印刷対象を重ねた画像である。重なり部分ＴＢは通常の印刷対象を含む。重複画像は、例えば、図６（Ｆ−Ｘ）、図６（Ｆ−Ｙ）に示すように、重なり部分ＴＢ及び第一部分Ｔ１において、重なり部分ＴＢの印刷対象と、第一部分Ｔ１の印刷対象とを重ねた画像とされてもよい。図６（Ｆ−Ｙ）に示すように、重なり部分ＴＢの印刷対象と、第一部分Ｔ１の印刷対象とで、印刷対象の色が変えられてもよい。図６（Ｆ−Ｚ）に示すように、重複画像は、重なり部分ＴＢと非重なり部分ＴＡとで、背景の色が変更されてもよい。重複画像は、第一部分Ｔ１と第二部分Ｔ２とで、背景の色が変更されてもよい。ＣＰＵ１は、例えば、後述の通常画像を生成後、重なり部分ＴＢ、第二部分Ｔ２の表示態様を変更することで、重複画像を、生成してもよい。
【００３１】
配置条件が第三条件、第四条件である場合、非重なり量は印刷対象の大きさよりも小さくはない（Ｓ７：ＮＯ）。この場合、印刷媒体の特定方向の一端２１から他端２２（３２）の順に、印刷媒体を、貼付対象Ｔの外周に沿って貼り付けた場合において、印刷媒体の全ての印刷領域が非重なり領域である。ＣＰＵ１は、Ｓ２で特定された印刷媒体の種類が透過性を有する透過部分と、透過性を有しない非透過部分とを含むセルフラミネート又は透明セルフラミネートであるかを判断する（Ｓ８）。印刷媒体の種類がセルフラミネート又は透明セルフラミネートである場合（Ｓ８：ＹＥＳ）、ＣＰＵ１は、Ｓ４で特定された重なり量が０よりも小さいかを判断する（Ｓ１３）。重なり量が０よりも小さくはない場合（Ｓ１３：ＮＯ）、ＣＰＵ１は、印刷画像として通常画像を生成する（Ｓ１２）。通常画像は、印刷領域に印刷対象のみが配置された画像である。ＣＰＵ１は、例えば、図７（Ａ）に示す画像を生成する。図７（Ａ）では、印刷対象及び背景の表示態様は均一である。
【００３２】
Ｓ８において印刷媒体の種類がセルフラミネート又は透明セルフラミネートではない場合（Ｓ８：ＮＯ）、ＣＰＵ１は通常画像を生成する（Ｓ１２）。非重なり量が印刷対象の大きさよりも小さくはない場合、幅方向Ｗにおいて、印刷対象全体は非重なり部分ＴＡ内に配置される。図６（Ｂ−Ｘ）、図６（Ｂ−Ｙ）は、例えば、配置条件が第三条件の場合である。図６（Ｂ−Ｚ）は、配置条件が、幅方向Ｗにおいて非重なり部分ＴＡの半分を配置領域ＴＦとする第四条件である場合を示す。図６（Ｂ−Ｘ）、図６（Ｂ−Ｙ）、図６（Ｂ−Ｚ）は何れも、印刷媒体の特定方向の一端２１から他端２２（３２）の順に、印刷媒体を、貼付対象Ｔの外周に沿って貼り付けた場合にも、印刷対象の一部は、印刷媒体に覆われない。
【００３３】
重なり量が０よりも小さい場合（Ｓ１３：ＹＥＳ）、印刷媒体４０を貼付対象Ｔに貼り付けた場合に、印刷媒体４０のラベル２０の一部はフィルム３０によって覆われない。ＣＰＵ１は、印刷媒体４０を貼付対象Ｔに貼り付けた場合に、非透過部分における透過部分に覆われる部分、つまりラベル２０の内のフィルム３０に覆われる部分（被覆部分）を特定する（Ｓ１４）。本例のＣＰＵ１は、巻き付け方向Ｅにおける被覆部分ＴＤの長さを特定する。具体的にはＣＰＵ１は、Ｓ３で取得された貼付対象Ｔの直径に基づき、貼付対象Ｔの外周を特定する。ＣＰＵ１は、特定された外周からラベル２０の巻き付け方向Ｅの長さを差し引いた値を被覆部分ＴＤの長さとして特定する。
【００３４】
ＣＰＵ１は、印刷画像として被覆画像を生成する（Ｓ１５）。ＣＰＵ１は、非透過部分から透過部分に向かう方向を印刷媒体４０の一端２１から他端３２に向かう側にし、印刷媒体の一端２１から他端３２の順に、印刷媒体４０を、貼付対象Ｔの外周に沿って貼り付けた場合における、被覆部分ＴＤと、非被覆部分ＴＥとを区別可能な画像を被覆画像として生成する。非被覆部分ＴＥは、非透過部分の内の透過部分に覆われない部分である。被覆画像は、被覆部分ＴＤと、非被覆部分ＴＥとが区別可能な画像であればよい。被覆画像は、例えば、図７（Ｂ）に示すように、印刷対象の内、被覆部分ＴＤと、非被覆部分ＴＥとで色、塗り方、線の種類等を変えた画像である。他の例では、被覆画像は、例えば、図７（Ｃ）に示すように、印刷対象の内、被覆部分ＴＤと、非被覆部分ＴＥとで背景の色、塗り方（網掛けの種類）等を変えた画像である。図７（Ｂ）、図７（Ｃ）において点線５４は被覆部分ＴＤと、非被覆部分ＴＥの境界を示す。
【００３５】
Ｓ１０、Ｓ１１、Ｓ１２、及びＳ１５の何れかの次に、ＣＰＵ１は、駆動回路１２を制御して、Ｓ１０、Ｓ１１、Ｓ１２、及びＳ１５の何れかで生成されたイメージを表示部８に表示させる（Ｓ１６）。例えば、Ｓ１０において図６（Ｆ−Ｚ）のイメージが生成された場合、ＣＰＵ１は、駆動回路１２を制御して、表示部８に図８の画面９０を表示する。図８に示すように画面９０は、印刷画像９１、ボタン９２〜９５が表示される。印刷画像９１は、図６（Ｆ−Ｚ）の画像に基づき表示される。ボタン９２は、印刷画像９１で示される条件で、印刷を行う場合に選択される。ボタン９３は、印刷画像９１で示される条件から、配置条件を第三条件に変更する場合に選択される。ボタン９４は、印刷画像９１で示される条件から、配置条件を第四条件に変更する場合に選択される。ボタン９５は、印刷画像９１で示される条件から、配置条件を第五条件に変更する場合に選択される。ＣＰＵ１は、印刷画像９１に加え、現在の条件では、重なり部分が発生することを報知するメッセージを表示部８に表示してもよい。
【００３６】
ＣＰＵ１は、印刷指示を取得したかを判断する（Ｓ１７）。ＣＰＵ１は、ボタン９２の選択を検出した場合、印刷指示を取得したと判断する。印刷指示が取得されない場合（Ｓ１７：ＮＯ）、ＣＰＵ１は、修正指示を取得したかを判断する（Ｓ１９）。ＣＰＵ１は、ボタン９３〜９５の何れかの選択を検出した場合に、修正指示を取得したと判断する。ＣＰＵ１は、修正指示を取得した場合（Ｓ１９：ＹＥＳ）、修正処理を実行する（Ｓ２０）。図９に示すように、ボタン９３が選択されたことを検出した場合、ＣＰＵ１は、重複なし配置が選択されたと判断し（Ｓ２１：ＹＥＳ）、非重なり部分ＴＡを特定し（Ｓ２２）、図６（Ｂ−Ｘ）、図６（Ｂ−Ｙ）に例示するように、非重なり部分ＴＡ内に印刷対象が収まる幅方向Ｗの印刷対象の大きさを特定し、印刷対象の配置を特定する（Ｓ２３）。
【００３７】
ＣＰＵ１は、ボタン９４が選択されたことを検出した場合、配置領域配置が選択されたと判断し（Ｓ２１：ＮＯ、Ｓ２４：ＹＥＳ）、配置領域ＴＦを特定する（Ｓ２５）。ＣＰＵ１は、印刷対象が配置領域ＴＦ内に収まる大きさに調整する（Ｓ２６）。ＣＰＵ１は、図６（Ｂ−Ｚ）に例示するように、配置領域ＴＦ内に印刷対象が収まる幅方向Ｗの印刷対象の大きさを特定し、印刷対象の配置を特定する（Ｓ２６）。ＣＰＵ１は、ボタン９５が選択されたことを検出した場合（Ｓ２１：ＮＯ、Ｓ２４：ＮＯ）、指定された印刷対象の大きさを特定し、印刷対象の配置を特定する（Ｓ２７）。Ｓ２３、Ｓ２６、Ｓ２７の処理の次に、ＣＰＵ１は、修正処理を終了し、処理を図５のメイン処理に戻す。メイン処理では、ＣＰＵ１は、修正処理後（Ｓ２０）、処理をＳ７に戻す。
【００３８】
ＣＰＵ１は、修正指示を取得しない場合（Ｓ１９：ＮＯ）、処理をＳ１７に戻す。ＣＰＵ１は、ボタン９２が選択されたことを検出した場合、印刷指示が選択されたと判断し（Ｓ１７：ＹＥＳ）、印刷対象の内、重なり部分ＴＢを除く非重なり部分ＴＡの印刷対象を印刷媒体に印刷するための印刷データを生成する（Ｓ１８）。ＣＰＵ１は、印刷媒体の種類が透明ラミネート、透明セルフラミネート、及び透明レセプタの何れかである場合には、重なり部分ＴＢと非重なり部分ＴＡとを含む印刷対象を印刷媒体に印刷するための印刷データを生成してもよい。ＣＰＵ１は、印刷媒体の厚みの影響等を考慮し、重なり部分と非重なり部分との境界を重なり部分側にオフセットさせ、オフセットされた重なり部分ＴＢを除く非重なり部分ＴＡの印刷対象を印刷媒体に印刷するための印刷データを生成してもよい。オフセット量は、印刷媒体の種類等に応じて自動で設定されてもよいし、ユーザによって指定されてもよい。ＣＰＵ１は、現在の条件では、重なり部分ＴＢの印刷対象が印刷されないことを報知するメッセージを表示部８に表示してもよい。
【００３９】
ＣＰＵ１は、Ｓ１８で生成された印刷データに従って、駆動回路１３〜１５を制御して、Ｓ１６の処理で表示した印刷画像を、テープＭに印刷後、必要に応じてテープＭを切断する（Ｓ３０）。ＣＰＵ１は、印刷仕上がりを考慮し、１ライン毎の印刷密度（単位面積当たりのドット数）に応じて、複数回に分けて１ラインを印刷（分割印刷）してもよい。分割印刷の場合、ＣＰＵ１は、印刷密度が予め設定された閾値よりも低いラインでは、１ラインを一括して印刷する。ＣＰＵ１は、印刷密度が閾値よりも高いラインでは、１ラインを複数回に分けて印刷する（例えば、特開平１０−２５０１３０号公報参照）。ＣＰＵ１は、以上でメイン処理を終了する。
【００４０】
上記実施形態において、表示部８、ＣＰＵ１、印刷装置１８は各々、本発明の表示部、制御部、及び編集装置（印刷装置）の一例である。Ｓ２の処理を実行するＣＰＵ１は、本発明の大きさ取得手段として機能する。Ｓ５の処理を実行するＣＰＵ１は、本発明の印刷対象取得手段として機能する。Ｓ３の処理を実行するＣＰＵ１は、外周取得手段として機能する。Ｓ１０、Ｓ１１、Ｓ１２、Ｓ１５、Ｓ１６の処理を実行するＣＰＵ１は、本発明の表示制御手段として機能する。Ｓ２の処理を実行するＣＰＵ１は、本発明の特定手段として機能する。Ｓ２３、Ｓ２６の処理を実行するＣＰＵ１は、本発明の調整手段として機能する。Ｓ２５の処理を実行するＣＰＵ１は本発明の設定手段として機能する。テープ送りモータ９は本例の搬送部の一例であり、サーマルヘッド１０は、本例の印刷部の一例である。Ｓ１８の処理を実行するＣＰＵ１は、本発明の生成手段として機能する。Ｓ３０の処理を実行するＣＰＵ１は、本発明の印刷制御手段として機能する。
【００４１】
印刷装置１８は、重なり部分ＴＢと、非重なり部分ＴＡとを区別して表示できる。ユーザは、ラベル２０をケーブルに巻き付けて貼り付けた場合に、印刷対象の一部が重なり部分に配置されることを、印刷前に確認できる。印刷装置１８は、印刷後に印刷対象の配置等をやりなおす可能性を低減できるので、ケーブル等の貼付対象Ｔに貼り付けて用いられるラベル２０に印刷対象を配置する際のユーザの利便性を向上できる。
【００４２】
印刷装置１８は、重なり部分ＴＢと、非重なり部分ＴＡとで、印刷対象の表示態様及び印刷対象の背景の表示態様の少なくとも何れか異ならせることで、両者を区別可能に印刷媒体に対する印刷対象の配置を表示部８に表示させる。故に、印刷装置１８は、重なり部分ＴＢと、非重なり部分ＴＡとで、印刷対象の表示態様及び印刷対象の背景の表示態様を異なるものとすることで、両者を区別して表示できる。ユーザは、表示部８を参照することで重なり部分ＴＢの印刷対象を特定しやすい。
【００４３】
印刷装置１８は、非重なり部分ＴＡの内の、重なり部分ＴＢを覆う第一部分Ｔ１と、第一部分Ｔ１以外の第二部分Ｔ２とを区別して表示部８に表示させる。故に、印刷装置１８は、第一部分Ｔ１と、第二部分Ｔ２とを区別して表示できる。ユーザは、表示部８を参照することで重なり部分ＴＢを覆う第一部分Ｔ１を特定できる。
【００４４】
印刷装置１８は、第一部分Ｔ１と、第二部分Ｔ２とで、印刷対象の表示態様及び印刷対象の背景の表示態様の少なくとも何れか異ならせることで、第一部分Ｔ１と、第二部分Ｔ２とを区別して表示部８に表示させる。印刷装置１８は、第一部分Ｔ１と、第二部分Ｔ２とで、印刷対象の表示態様及び印刷対象の背景の表示態様を異なるものとすることで、両者を区別して表示できる。ユーザは、第一部分Ｔ１の印刷対象を特定しやすい。
【００４５】
印刷装置１８は、印刷媒体の種類を特定し（Ｓ２）、特定された印刷媒体の種類に応じて、重なり部分ＴＢと非重なり部分ＴＡとの区別態様を変更して、表示部８に表示させる（Ｓ７〜Ｓ１６）。印刷装置１８は、印刷媒体の種類に応じて、重なり部分ＴＢと非重なり部分ＴＡとの区別態様を変更できる。
【００４６】
印刷装置１８は、特定された印刷媒体の種類が透明基材に分類されない場合、つまり、印刷媒体の種類が、透明ラミネート、透明セルフラミネート、及び透明レセプタの何れかではなく、ラミネート、レセプタ、及びセルフラミネートの何れかである場合（Ｓ９：ＮＯ）、重なり部分ＴＢの印刷対象に変えて、印刷媒体の内の一端２１側の印刷媒体を覆う第一部分Ｔ１の印刷対象を表示することで、重なり部分ＴＢと非重なり部分ＴＡとを区別して表示部８に表示させる（Ｓ１１、Ｓ１６）。故に、印刷装置１８は、基材全面が透過性を有しない印刷媒体が特定された場合に、重なり部分ＴＢの印刷対象に変えて、第一部分Ｔ１の印刷対象を表示できる。つまり、印刷装置１８は、基材全面が透過性を有しない印刷媒体が特定された場合に、印刷媒体の特定方向の一端２１から他端２２（３２）の順に、印刷媒体を、貼付対象Ｔの外周に沿って貼り付けた場合、重なり部分ＴＢに配置され見えなくなる部分の印刷対象を表示しない。ユーザは、表示部８を参照することで、重なり部分ＴＢに配置された印刷対象を特定しやすい。
【００４７】
印刷装置１８は、特定された印刷媒体の基材全面が透過性を有する場合、つまり、印刷媒体の種類が透明ラミネート、透明セルフラミネート、及び透明レセプタの何れかである場合（Ｓ９：ＹＥＳ）、重なり部分ＴＢの印刷対象に、印刷媒体の内の一端側の印刷媒体を覆う第一部分Ｔ１の印刷対象を重ねて表示することで、重なり部分ＴＢと非重なり部分ＴＡとを区別して表示部８に表示させる（Ｓ１０、Ｓ１６）。故に、印刷装置１８は、基材全面が透過性を有する印刷媒体が特定された場合に、重なり部分ＴＢの印刷対象に、第一部分Ｔ１の印刷対象を重ねて表示できる。つまり、印刷装置１８は、基材全面が透過性を有する印刷媒体が特定された場合に、印刷媒体の特定方向の一端から他端の順に、印刷媒体を、貼付対象Ｔの外周に沿って貼り付けた場合、重なり部分ＴＢと第一部分Ｔ１とが重なった状態を表示できる。
【００４８】
印刷装置１８は、特定された印刷媒体４０が透過性を有する透過部分と、透過性を有しない非透過部分とを含む場合（つまりは、セルフラミネートの場合）、非透過部分であるラベル２０から透過部分であるフィルム３０に向かう方向を印刷媒体４０の一端２１から他端３２に向かう側とする。印刷装置１８は、印刷媒体４０の一端２１から他端３２の順に、印刷媒体４０を、貼付対象Ｔの外周に沿って貼り付けた場合における、被覆部分ＴＤと、非被覆部分ＴＥとを区別可能に、印刷媒体（ラベル２０）に対する印刷対象の配置を表示部８に表示させる（Ｓ１５、Ｓ１６）。印刷装置１８は、透過部分と非透過部分とを有する印刷媒体（セルフラミネート）が特定された場合に、被覆部分ＴＤと、非被覆部分ＴＥとを区別可能に表示部８に表示できる。ユーザは、表示部８を参照することで、非被覆部分ＴＥを確認できる。
【００４９】
印刷装置１８は、印刷媒体の種類がセルフラミネートである場合、非透過部分において、重なり部分ＴＢと、非重なり部分ＴＡとを特定する。つまり印刷装置１８は、透過部分では重なり部分ＴＢと、非重なり部分ＴＡとの何れも特定しない。印刷装置１８は、特定された重なり部分ＴＢの印刷対象に変えて、印刷媒体の内の一端側の印刷媒体を覆う第一部分Ｔ１の印刷対象を表示することで、重なり部分ＴＢと非重なり部分ＴＡとを区別して表示部８に表示させる（Ｓ１１、Ｓ１６）。故に、印刷装置１８は、透過部分と非透過部分とを有する印刷媒体（セルフラミネート）においても、重なり部分ＴＢの印刷対象に変えて、第一部分Ｔ１の印刷対象を表示できる。ユーザは、表示部８を参照することで、重なり部分ＴＢに配置された印刷対象を特定しやすい。
【００５０】
印刷装置１８は、印刷対象の大きさを、印刷対象が非重なり部分ＴＡに収まる大きさに調整し、印刷対象を非重なり部分ＴＡ内に配置する（Ｓ２３、Ｓ２６）。故に、印刷装置１８は、ユーザが印刷対象を非重なり部分ＴＡに収まる大きさに調整する手間を省くことができる。
【００５１】
印刷装置１８は、非重なり部分ＴＡの内に、印刷対象を配置する配置領域ＴＦを設定する（Ｓ２５）。印刷装置１８は、印刷対象が配置領域ＴＦ内に収まる大きさに調整し、印刷対象を配置領域ＴＦ内に配置する（Ｓ２６）。故に、印刷装置１８は、ユーザが印刷対象を非重なり部分ＴＡ内の配置領域ＴＦ内に収まる大きさに調整する手間を省くことができる。
【００５２】
印刷装置１８は、重なり部分ＴＢの印刷対象を印刷しないので、重なり部分ＴＢの印刷対象を印刷する場合に比べ、低消費電流を実現できる。更に印刷装置１８が１ライン毎の印刷密度（単位面積当たりのドット数）に応じて、複数回に分けて１ラインを印刷（分割印刷）する場合、印刷装置１８は、重なり部分ＴＢの印刷対象を印刷する場合に比べ、印刷密度を低く抑えることができ、高速印刷が実現できる。
【００５３】
本発明の編集装置、編集プログラム、及び印刷装置は、上記した実施形態に限定されるものではなく、本発明の要旨を逸脱しない範囲内において種々変更が加えられてもよい。例えば、以下の変形が適宜加えられてもよい。以下の変形は適宜組み合わされてもよい。
【００５４】
（Ａ）編集装置の構成は適宜変更してよい。編集装置は、表示部と制御部とを備えればよく、ＰＣ、端末装置、専用装置など、印刷機能を備えない装置でもよい。編集装置が印刷機能を備えた印刷装置である場合、印刷装置は、印刷媒体に印刷対象を印刷可能な装置であればよい。印刷装置は、例えば、カッター及びカッターモータを備えなくてもよい。印刷媒体は、印刷装置の種類に応じて適宜選択されればよく、テープ状の印刷媒体の他、例えば、紙、布、熱収縮性の素材、及びプラスチックシートでもよい。印刷媒体は剥離紙無しの粘着テープでもよい。印刷媒体はダイカットテープでもよく、ラベル２０の辺２２とフィルム３０の辺３１とは両端が一致していなくともよい。但し、フィルム３０の辺３１の範囲にラベル２０の辺２２が含まれることが望ましい。ラベル２０の全部又は一部を覆うことができるのであれば、ラベル２０やフィルム３０は矩形でなくともよい。例えば、台形や三角形でもよい。貼付対象として、ケーブルの側面を例示したが、貼付対象は適宜変更されてよい。例えば、印刷媒体が配置される曲面は、円筒の内側面であってもよいし、円柱状の側面に近似可能な多角形柱の側面であってもよいし、仮想的な円筒の曲面であってもよいし、断面が楕円状の筒部材であってもよい。印刷対象は、キャラクタに限定されず、記号、バーコード、図形、及び画像でもよいし、それらを組み合わせたものであってもよい。印刷媒体には、適宜余白が設定されてもよい。
【００５５】
（Ｂ）メイン処理（図５参照）を実行させるための指令を含むプログラムは、制御部がプログラムを実行するまでに、編集装置の記憶機器に記憶されればよい。従って、プログラムの取得方法、取得経路及びプログラムを記憶する機器の各々は、適宜変更してもよい。制御部が実行するプログラムは、ケーブル又は無線通信を介して、他の装置から受信し、フラッシュメモリ等の記憶装置に記憶されてもよい。他の装置は、例えば、ＰＣ、及びネットワーク網を介して接続されるサーバを含む。
【００５６】
（Ｃ）編集装置のメイン処理（図５参照）の各ステップは、ＣＰＵ１によって実行される例に限定されず、一部又は全部が他の電子機器（例えば、ＡＳＩＣ）によって実行されてもよい。制御部の構成は適宜変更されてよい。メイン処理の各ステップは、複数の電子機器（例えば、複数のＣＰＵ）によって分散処理されてもよい。メイン処理の各ステップは、必要に応じて順序の変更、ステップの省略、及び追加が可能である。編集装置上で稼動しているオペレーティングシステム（ＯＳ）等が、制御部からの指令に基づきメイン処理の一部又は全部を行う態様も、本開示の範囲に含まれる。例えば、メイン処理に以下の（Ｃ−１）から（Ｃ−４）の変更が適宜加えられてもよい。
【００５７】
（Ｃ−１）印刷対象の特定方法は適宜変更されてよい。配置領域の設定方法は適宜変更されてよい。例えば、貼付対象が四角柱である場合に、四角柱の４つの側面の内の非重なり部分となる１つの面を配置領域としてもよい。この場合、編集装置は、例えば、印刷媒体の特定方向の一端を、貼付対象のどの部位に貼り付けるかの情報を取得し、取得された情報に基づき、配置領域を設定してもよい。編集装置は、例えば、貼付対象がケーブル等の円柱状である場合に、巻き付け方向において、非重なり部分となる、円周の１／３等の指定された量に対応する部位を配置領域と設定してもよい。配置領域は、複数設定されてもよく、例えば、印刷対象が複数行に渡るキャラクタである場合に、各行のキャラクタが別々の印刷対象として見なされて、各キャラクタが別の配置領域に配置されてもよい。特定方向の一端及び他端は、ユーザの指示に従って設定されてもよいし、編集装置が印刷媒体の種類、印刷対象等に応じて自動的に設定してもよい。例えば、印刷対象が文字の場合に、編集装置は、文字の上側を特定方向の一端としてもよい。或いは、編集装置は、文字の並び方向の先頭側を特定方向の一端としてもよい。
【００５８】
（Ｃ−２）印刷媒体の大きさ、種類の取得方法は適宜変更されてよい。例えば、印刷媒体の幅方向の長さをユーザが入力した値として、印刷媒体の大きさが設定されてもよい。また例えば、印刷媒体の幅方向と長さ方向と、印刷媒体の種類とは、ユーザが指定してもよい。編集装置は、１種類の印刷媒体を想定した装置であってもよく、印刷媒体の種類に応じて、重なり部分と、非重なり部分との表示態様を変更しなくてもよい。編集装置は、複数の表示態様の中から、ユーザが指定する表示態様で重なり部分と、非重なり部分とを区別可能に表示してもよい。印刷媒体が、透過部分と、非透過部分とを含む場合に、幅方向の長さは、透過部分と、非透過部分とで同じであってもよいし、互いに異なっていてもよい。印刷装置は、印刷媒体が、透過部分と、非透過部分とを含む場合に、被覆部分と、非被覆部分とを区別可能に表示しなくてもよい。
【００５９】
（Ｃ−３）編集装置は、非重なり部分又は配置領域内に印刷対象を配置する機能を備えなくてもよい。編集装置は、非重なり部分又は配置領域内に印刷対象を配置する機能を備える場合、ユーザからの指示に従って、Ｓ６の処理でＳ２２、Ｓ２３、又はＳ２５、Ｓ２６の処理を実行してもよい。編集装置は、特定方向に交差する交差方向（例えば、長さ方向）の配置は適宜設定すればよく、例えば、センタリング、左寄せ、右寄せ等の指示を取得し、取得された配置に従って、交差方向の配置を設定してもよい。
【００６０】
（Ｃ−４）印刷画像の表示方法は適宜変更されてよい。印刷画像は、例えば、印刷媒体を貼付対象に巻き付けて、貼り付けた状態を模式的に、又は立体的に示す画像でもよい。この場合、例えば、図２（Ｃ）のように印刷媒体を貼付対象に巻き付けて、貼り付けた状態では、印刷媒体の一方側の面しか見えない。このため編集装置は、ユーザの指示に従って、印刷画像の表示範囲、視点を変更可能としてもよい。編集装置は、印刷開始時に、配置条件を選択可能であってもよいし、選択不能であってもよい。選択可能な配置条件の種類は適宜変更されてよい。印刷装置は、印刷媒体の種類によらず、印刷対象の内、重なり部分と非重なり部分との双方の印刷対象を印刷媒体に印刷するための印刷データを生成してもよい。制御部は、ユーザの指示があった場合に、重なり部分を除く非重なり部分の印刷対象を印刷するための印刷データを生成してもよい。図５のＳ１６の処理において、異なる方法で生成された複数の画像を所定間隔、所定順序で表示されてもよい。例えば、Ｓ１６の処理において、図８の印刷画像９１と、通常画像とが交互表示されてもよい。
【符号の説明】
【００６１】
１：ＣＰＵ、２：ＲＯＭ、４：ＲＡＭ、５：フラッシュメモリ、６：検出部、７：操作部、９:テープ送りモータ、１０：サーマルヘッド、１８：印刷装置
【図１】
2019130891.tif 000003
【図２】
2019130891.tif 000004
【図３】
2019130891.tif 000005
【図４】
2019130891.tif 000006
【図５】
2019130891.tif 000007
【図６】
2019130891.tif 000008
【図７】
2019130891.tif 000009
【図８】
2019130891.tif 000010
【図９】
2019130891.tif 000011